(57)【要約】【課題】誤嵌を防止することができると共に、よりコストを削減することができるコネクタ及びその製造方法を提供すること。【解決手段】複数種類の相手側コネクタ２０ａ、２０ｂ、２０ｃの誤嵌を防止するための凹部２４ａ、２４ｂ、２４ｃに対応する凸部１３ａ、１３ｂ、１３ｃを備えるコネクタ１０であって、凸部１３ａ、１３ｂ、１３ｃは、凸部１３ａ、１３ｂ、１３ｃを折り取るための折り取り溝１６ａ、１６ｂ、１６ｃを備える。【選択図】図１
2009193920.tif 000002
【特許請求の範囲】
【請求項１】
複数種類の相手側コネクタの誤嵌を防止するための凹部に対応する凸部を備えるコネクタであって、
前記凸部は、前記凸部を折り取るための折り取り溝を備えるコネクタ。
【請求項２】
前記凸部は、前記コネクタと一体的に成形される請求項１記載のコネクタ。
【請求項３】
前記コネクタは、プラグ側コネクタ、又はレセプタクル側コネクタであり、
前記相手側コネクタは、レセプタクル側コネクタ、又はプラグ側コネクタである請求項１又は２記載のコネクタ。
【請求項４】
前記凸部の一部を折り取ることにより特定の前記相手側コネクタの誤嵌を防止するための凹部に対応する凸部が残存される請求項１〜３いずれか一項記載のコネクタ。
【請求項５】
誤嵌を防止するための凸部を備えるコネクタの製造方法において、
複数種類の相手側コネクタの誤嵌を防止するための凹部に対応する折り取り可能な凸部を備えるコネクタを製造し、前記凸部の一部を折り取ることにより特定の前記相手側コネクタの誤嵌を防止するための凹部に対応する凸部を残存させるコネクタの製造方法。
【発明の詳細な説明】
【技術分野】
【０００１】
本発明は、誤嵌を防止するためのコネクタ及びその製造方法に関し、特にワイヤーハーネス用の誤嵌を防止するためのコネクタ及びその製造方法に関する。
【背景技術】
【０００２】
ワイヤーハーネス用のコネクタでは、複数のプラグ側コネクタと複数のレセプタクル側コネクタとを嵌合する際の誤嵌を防止するため、各コネクタの嵌合面に、相手側コネクタを識別するための凸部又は凹部が形成される。例えば、複数のプラグ側コネクタの嵌合面には、互いに異なる位置に凸部（又は凹部）が形成され、複数のレセプタクル側コネクタの嵌合面には、特定のプラグ側コネクタの凸部（又は凹部）に対応する凹部（又は凸部）が形成されている。しかし、製造されるコネクタの種類が多くなるので、コネクタの製造コスト及び管理コストが高くなる。
【０００３】
そこで、従来から、コストを削減できるコネクタとして、レセプタクル側コネクタのハウジング本体に対して側壁を脱着可能な構成とし、側壁に誤嵌を防止するための凸部（極性キー）又は凹部（極性キー溝）を設けるレセプタクル側コネクタが知られている（例えば、特許文献１参照）。ハウジングに対して側壁を脱着させることによって、１種類のハウジング本体で複数種類のコネクタを製造することができる。
【特許文献１】特開２００１−６７９７号公報
【発明の開示】
【発明が解決しようとする課題】
【０００４】
しかしながら、上記従来の構成のレセプタクル側コネクタでは、誤嵌を防止するため、複数種類の側壁を製造する必要がある。また、側壁とハウジング本体とを別途製造する必要がある。したがって、コスト削減効果が低い。
【０００５】
本発明は、上記に鑑みてなされたものであって、誤嵌を防止することができると共に、よりコストを削減することができるコネクタ及びその製造方法を提供することを目的とする。
【課題を解決するための手段】
【０００６】
前記目的を達成するため、第１の発明は、複数種類の相手側コネクタの誤嵌を防止するための凹部に対応する凸部を備えるコネクタであって、
前記凸部は、前記凸部を折り取るための折り取り溝を備える。
【０００７】
第２の発明は、第１の発明に係るコネクタであって、前記凸部は、前記コネクタと一体的に成形される。
【０００８】
第３の発明は、第１又は第２の発明に係るコネクタであって、前記コネクタは、プラグ側コネクタ、又はレセプタクル側コネクタであり、
前記相手側コネクタは、レセプタクル側コネクタ、又はプラグ側コネクタである。
【０００９】
第４の発明は、第１〜第３のいずれか１つの発明に係るコネクタであって、前記凸部の一部を折り取ることにより特定の前記相手側コネクタの誤嵌を防止するための凹部に対応する凸部が残存される。
【００１０】
第５の発明は、誤嵌を防止するための凸部を備えるコネクタの製造方法において、
複数種類の相手側コネクタの誤嵌を防止するための凹部に対応する折り取り可能な凸部を備えるコネクタを製造し、前記凸部の一部を折り取ることにより特定の前記相手側コネクタの誤嵌を防止するための凹部に対応する凸部を残存させる。
【発明の効果】
【００１１】
本発明によれば、複数種類の相手側コネクタの誤嵌を防止するための凹部に対応する折り取り可能な凸部を備えることによって、１種類のコネクタによって複数種類の相手側コネクタに対応することができ、コストを削減することができる。
【発明を実施するための最良の形態】
【００１２】
以下、図面を参照して、本発明を実施するための最良の形態の説明を行う。
【００１３】
図１は、本発明のコネクタ及び相手側コネクタの構成の第１の実施の形態を示した斜視図であり、（ａ）コネクタの構成を示した斜視図、（ｂ）は相手側コネクタの構成を示した斜視図である。図２は、図１のコネクタの凸部の一部を折り取るための折り取り治具の構成の一例を示した概略図であり、（ａ）は斜視図、（ｂ）は正面図、（ｃ）は（ｂ）の矢視Ａ−Ａからみた断面図である。図３は、図２の折り取り治具によって図１のコネクタの凸部の一部を折り取った状態の一例を示した斜視図である。
【００１４】
第１の実施の形態のコネクタ１０の相手側コネクタ２０は、ワイヤーハーネス用のレセプタクル側コネクタである。レセプタクル側コネクタ２０は、図１に示すように、内底面２１を有する箱形状であって、複数の雄型端子２２を内装する。雄型端子２２は、内底面２１から嵌合方向Ａに沿って突設されている。
【００１５】
３種類のレセプタクル側コネクタ２０ａ、２０ｂ、２０ｃは、略同一形状の内周の所定面２３の互いに異なる位置に、誤嵌を防止するための凹部２４ａ、２４ｂ、２４ｃを備える。例えば、凹部２４ａ、２４ｂ、２４ｃは、開口縁２５から嵌合方向Ａに沿って穿設され、嵌合方向Ａに対して直交する方向Ｂの互いに異なる位置に配列されている。
【００１６】
第１の実施の形態のコネクタ１０は、ワイヤーハーネス用のプラグ側コネクタである。プラグ側コネクタ１０は、図１に示すように、ブロック形状であって、複数の雌型端子１１を内装する。雌型端子１１は、雄型端子２２を内嵌するものであって、先端面１２から嵌合方向Ａに沿って埋設されている。
【００１７】
プラグ側コネクタ１０は、その特徴的な構成として、複数種類の相手側コネクタ２０の誤嵌を防止するための凹部２４に対応する凸部１３を備える。すなわち、プラグ側コネクタ１０は、図１に示すように、３種類のレセプタクル側コネクタ２０の誤嵌を防止するための凹部２４ａ、２４ｂ、２４ｃに対応する凸部１３ａ、１３ｂ、１３ｃを備える。
【００１８】
凸部１３は、相手側コネクタ２０の凹部２４内に遊嵌されるものである。例えば、凸部１３は、断面視矩形状であって、幅方向寸法Ｗ１が凹部２４の幅方向寸法Ｗ２より僅かに小さく、高さ方向寸法Ｈ１が凹部２４の深さ方向寸法Ｈ２より僅かに小さく形成される。この凸部１３ａ、１３ｂ、１３ｃは、プラグ側コネクタ１０の先端縁１５から嵌合方向Ａに沿って所定面１４に突設され、嵌合方向Ａに対して直交する方向Ｂの凹部２４ａ、２４ｂ、２４ｃに対応する位置に配列されている。
【００１９】
各凸部１３は、その特徴的な構成として、各凸部１３を折り取るための折り取り溝１６ａ、１６ｂ、１６ｃを備える。折り取り溝１６は、凸部１３を付け根（つまり、所定面１４）から折り取ることができる構成を有する。例えば、折り取り溝１６は、図１に示すように、凸部１３が突設される所定面１４に対して鋭角をなす断面視くさび形状であって、嵌合方向Ａに沿って貫通形成されている。この折り取り可能な凸部１３は、プラグ側コネクタ１０のハウジングと一体的にプラスチックで成形されてよい。一体的に成形することによって、成形用金型の種類を削減することができ、製造コストを削減することができる。
【００２０】
尚、図１に示す状態では、プラグ側コネクタ１０は、３種類のレセプタクル側コネクタ２０ａ、２０ｂ、２０ｃの凹部２４ａ、２４ｂ、２４ｃに対応する凸部１３ａ、１３ｂ、１３ｃを全て備えるので、３種類のレセプタクル側コネクタ２０ａ、２０ｂ、２０ｃのいずれに対しても、嵌合させることができない。
【００２１】
折り取り治具３０は、凸部１３ａ、１３ｂ、１３ｃの一部１３ａ、１３ｂを折り取ることにより特定の相手側コネクタ２０ｃの誤嵌を防止するための凹部２４ｃに対応する凸部１３ｃを残存させるものである。例えば、折り取り治具３０は、図２に示すように、筒状の形状であって、圧入方向Ｃに沿ってプラグ側コネクタ１０を圧入させることにより、凸部１３ａ、１３ｂ、１３ｃの一部１３ａ、１３ｂを折り取るものである。
【００２２】
折り取り治具３０の内周は、プラグ側コネクタ１０の外周より僅かに大きく形成される。また、折り取り治具３０の内周の所定面３１には、プラグ側コネクタ１０を圧入させる際に、プラグ側コネクタ１０の凸部１３を通過させる通過溝３２が穿設されている。ここで、通過溝３２ａ、３２ｂ、３２ｃは、それぞれ、凸部１３ａ、１３ｂ、１３ｃに対応するものである。
【００２３】
通過溝３２は、例えば、断面視矩形状であって、幅方向寸法Ｗ３が凸部１３の幅方向寸法Ｗ１より僅かに大きく、深さ方向寸法Ｈ３が凸部１３の高さ方向寸法Ｈ１より十分に大きく形成される。この通過溝３２ａ、３２ｂ、３２ｃは、圧入方向Ｃに沿って貫通形成され、圧入方向Ｃに対して略直交する方向Ｄの凸部１３ａ、１３ｂ、１３ｃに対応する位置に配列されている。また、通過溝３２ａ、３２ｂは、凸部１３ａ、１３ｂを折り取るための突起部３３ａ、３３ｂを備える。
【００２４】
突起部３３ａ、３３ｂは、凸部１３ａ、１３ｂを付け根から折り取ることができる構成を有する。例えば、突起部３３ａ、３３ｂは、図２に示すように、断面視くさび形状であって、その断面形状が圧入方向Ｃに沿って圧入側から出口側に行くほど相似的に大きくなる構成を有する。圧入側の断面形状は、折り取り溝１６の断面形状と略同一、又は僅かに小さく、出口側の断面形状は、幅方向寸法が通過溝３２の幅方向寸法Ｗ３と略同一である。尚、通過溝３２ｃには、突起部３３が突設されない。
【００２５】
次に、折り取り治具３０を用いた凸部１３ａ、１３ｂの折り取りについて説明する。まずは、プラグ側コネクタ１０の凸部１３ａ、１３ｂ、１３ｃと折り取り治具３０の通過溝３２ａ、３２ｂ、３２ｃとの位置合わせをしたうえで、プラグ側コネクタ１０を折り取り治具３０の圧入側から圧入する。凸部１３と通過溝３２とが摺接した状態で、圧入方向Ｃに沿って圧入して行くと、凸部１３の折り取り溝１６ａ、１６ｂが折り取り治具３０の突起部３３ａ、３３ｂによって徐々に押し広げられる。そうすると、折り取り溝１６ａ、１６ｂの頂端に応力が集中して、頂端からクラックが伸展する。さらに、圧入方向Ｃに沿ってプラグ側コネクタ１０を圧入して行くと、凸部１３ａ、１３ｂが上方に折り取られる。尚、通過溝３２ｃには突起部３３が突設されないので、凸部１３ｃは残存される。
【００２６】
このようにして、凸部１３ａ、１３ｂ、１３ｃの一部１３ａ、１３ｂを折り取ることによって、図３に示すように、特定のレセプタクル側コネクタ２０ｃの誤嵌を防止するための凹部２４ｃに対応する凸部１３ｃが残存されたプラグ側コネクタ１０ｃを製造することができる。尚、同様にして、凸部１３ａが残存されたプラグ側コネクタ１０ａ、凸部１３ｂが残存されたプラグ側コネクタ１０ｂを製造することができる。
【００２７】
プラグ側コネクタ１０ｃには、図３に示すように、特定のレセプタクル側コネクタ２０ｃの凹部２４ｃに対応する凸部１３ｃが残存されている。この凸部１３ｃは、プラグ側コネクタ１０の外周の所定面１４の凸部１３ａ、１３ｂとは異なる位置に突設されている。したがって、プラグ側コネクタ１０ｃとレセプタクル側コネクタ２０ａ、２０ｂとの誤嵌を防止することができる。尚、凸部１３ｃは、プラグ側コネクタ１０の外周の一側面１４に突設されている。したがって、プラグ側コネクタ１０ｃとレセプタクル側コネクタ２０ｃとの嵌合の際に、上下、左右方向の姿勢を規定することができる。
【００２８】
このように、第１の実施の形態のプラグ側コネクタ１０によれば、３種類のレセプタクル側コネクタ２０ａ、２０ｂ、２０ｃの誤嵌を防止するための凹部２４ａ、２４ｂ、２４ｃに対応する折り取り可能な凸部１３ａ、１３ｂ、１３ｃを備えるので、１種類のプラグ側コネクタ１０で３種類のレセプタクル側コネクタ２０ａ、２０ｂ、２０ｃに対応することができ、コストを削減することができる。
【００２９】
図４は、本発明のコネクタと相手側コネクタとの構成の第２の実施の形態を示した概略図である。図５は、図４のコネクタの凸部の一部を折り取るための折り取り治具の構成の一例を示した概略図であり、（ａ）は斜視図、（ｂ）は正面図である。図６は、図５の折り取り治具によって図４のコネクタの凸部の一部を折り取った状態の一例を示した斜視図である。
【００３０】
第２の実施の形態のコネクタ４０の相手側コネクタ５０は、ワイヤーハーネス用のプラグ側コネクタである。プラグ側コネクタ５０は、図４に示すように、ブロック形状であって、複数の雌型端子５１を内装する。雌型端子５１は、先端面５２から嵌合方向Ｅに沿って埋設されている。
【００３１】
３種類のプラグ側コネクタ５０ａ、５０ｂ、５０ｃは、略同一形状の外周の所定面５３の互いに異なる位置に、誤嵌を防止するための凹部５４ａ、５４ｂ、５４ｃを備える。例えば、凹部５４ａ、５４ｂ、５４ｃは、先端縁５５から嵌合方向Ｅに沿って穿設され、嵌合方向Ｅに対して直交する方向Ｆの互いに異なる位置に配列されている。
【００３２】
第２の実施の形態のコネクタ４０は、ワイヤーハーネス用のレセプタクル側コネクタである。レセプタクル側コネクタ４０は、図４に示すように、内底面４１を有する箱形状であって、複数の雄型端子４２を内装する。雄型端子４２は、雌型端子５１によって内嵌されるものであって、内底面４１から嵌合方向Ｅに沿って突設されている。
【００３３】
レセプタクル側コネクタ４０は、その特徴的な構成として、複数種類の相手側コネクタ５０の誤嵌を防止するための凹部５４に対応する凸部４３を備える。すなわち、レセプタクル側コネクタ４０は、図１に示すように、３種類のプラグ側コネクタ５０の誤嵌を防止するための凹部５４ａ、５４ｂ、５４ｃに対応する凸部４３ａ、４３ｂ、４３ｃを備える。
【００３４】
凸部４３は、相手側コネクタ５０の凹部５４内に遊嵌されるものである。例えば、凸部４３は、断面視矩形状であって、幅方向寸法Ｗ４が凹部５４の幅方向寸法Ｗ５より僅かに小さく、高さ方向寸法Ｈ４が凹部５４の深さ方向寸法Ｈ５より僅かに小さく形成される。この凸部４３ａ、４３ｂ、４３ｃは、レセプタクル側コネクタ４０の開口縁４５から嵌合方向Ｅに沿って所定面４４に突設され、嵌合方向Ｅに対して直交する方向Ｆの凹部５４ａ、５４ｂ、５４ｃに対応する位置に配列されている。
【００３５】
各凸部４３は、その特徴的な構成として、各凸部４３を折り取るための折り取り溝４６ａ、４６ｂ、４６ｃを備える。折り取り溝４６は、凸部４３を付け根（つまり、所定面４４）から折り取ることができる構成を有する。例えば、折り取り溝４６は、図１に示すように、凸部４３が突設される所定面４４に対して鋭角をなす断面視くさび形状であって、嵌合方向Ｅに沿って貫通形成されている。この折り取り可能な凸部４３は、レセプタクル側コネクタ４０のハウジングと一体的にプラスチックで成形されてよい。一体的に成形することによって、成形用金型の種類を削減することができ、製造コストを削減することができる。
【００３６】
尚、図４に示す状態では、レセプタクル側コネクタ４０は、３種類のプラグ側コネクタ５０ａ、５０ｂ、５０ｃの凹部５４ａ、５４ｂ、５４ｃに対応する凸部４３ａ、４３ｂ、４３ｃを全て備えるので、３種類のプラグ側コネクタ５０ａ、５０ｂ、５０ｃのいずれに対しても、嵌合させることができない。
【００３７】
折り取り治具６０は、凸部４３ａ、４３ｂ、４３ｃの一部４３ａ、４３ｂを折り取ることにより特定の相手側コネクタ５０ｃの誤嵌を防止するための凹部５４ｃに対応する凸部４３ｃを残存させるものである。例えば、折り取り治具６０は、図２に示すように、ブロック状の形状であって、圧入方向Ｇに沿ってレセプタクル側コネクタ４０を圧入させることにより、凸部４３ａ、４３ｂ、４３ｃの一部４３ａ、４３ｂを折り取るものである。
【００３８】
折り取り治具６０の外周は、レセプタクル側コネクタ４０の内周より僅かに小さく形成される。また、折り取り治具６０の外周の所定面６１には、レセプタクル側コネクタ４０を圧入させる際に、レセプタクル側コネクタ４０の凸部４３を通過させる通過溝６２が穿設されている。ここで、通過溝６２ａ、６２ｂ、６２ｃは、それぞれ、凸部４３ａ、４３ｂ、４３ｃに対応するものである。
【００３９】
通過溝６２は、例えば、断面視矩形状であって、幅方向寸法Ｗ６が凸部４３の幅方向寸法Ｗ４より僅かに大きく、深さ方向寸法Ｈ６が凸部４３の高さ方向寸法Ｈ４より十分に大きく形成される。この通過溝６２ａ、６２ｂ、６２ｃは、圧入方向Ｇに沿って貫通形成され、圧入方向Ｇに対して略直交する方向Ｉの凸部４３ａ、４３ｂ、４３ｃに対応する位置に配列されている。また、通過溝６２ａ、６２ｂは、凸部４３ａ、４３ｂを折り取るための突起部６３ａ、６３ｂを備える。
【００４０】
突起部６３ａ、６３ｂは、凸部４３ａ、４３ｂを付け根から折り取ることができる構成を有する。例えば、突起部６３ａ、６３ｂは、図２に示すように、断面視くさび形状であって、その断面形状が圧入方向Ｇに沿って圧入側から出口側に行くほど相似的に大きくなる構成を有する。圧入側の断面形状は、折り取り溝４６の断面形状と略同一、又は僅かに小さく、出口側の断面形状は、幅方向寸法が通過溝６２の幅方向寸法Ｗ６と略同一である。尚、通過溝６２ｃには、突起部６３が突設されない。
【００４１】
次に、折り取り治具６０を用いた凸部４３ａ、４３ｂの折り取りについて説明する。まずは、レセプタクル側コネクタ４０の凸部４３ａ、４３ｂ、４３ｃと折り取り治具６０の通過溝６２ａ、６２ｂ、６２ｃとの位置合わせをしたうえで、レセプタクル側コネクタ４０を折り取り治具６０の圧入側から圧入する。凸部４３と通過溝６２とが摺接した状態で、圧入方向Ｇに沿って圧入して行くと、凸部４３の折り取り溝４６ａ、４６ｂが折り取り治具６０の突起部６３ａ、６３ｂによって徐々に押し広げられる。そうすると、折り取り溝４６ａ、４６ｂの頂端に応力が集中して、頂端からクラックが伸展する。さらに、圧入方向Ｇに沿ってレセプタクル側コネクタ４０を圧入して行くと、凸部４３ａ、４３ｂが下方に折り取られる。尚、通過溝６２ｃには突起部６３が突設されないので、凸部４３ｃは残存される。
【００４２】
このようにして、凸部４３ａ、４３ｂ、４３ｃの一部４３ａ、４３ｂを折り取ることによって、図６に示すように、特定のプラグ側コネクタ５０ｃの誤嵌を防止するための凹部５４ｃに対応する凸部４３ｃが残存されたレセプタクル側コネクタ４０ｃを製造することができる。尚、同様にして、凸部４３ａが残存されたレセプタクル側コネクタ４０ａ、凸部４３ｂが残存されたレセプタクル側コネクタ４０ｂを製造することができる。
【００４３】
レセプタクル側コネクタ４０ｃには、図６に示すように、特定のプラグ側コネクタ５０ｃの凹部５４ｃに対応する凸部４３ｃが残存されている。この凸部４３ｃは、レセプタクル側コネクタ４０の所定面４４の凸部４３ａ、４３ｂとは異なる位置に突設されている。したがって、レセプタクル側コネクタ４０ｃとプラグ側コネクタ５０ａ、５０ｂとの誤嵌を防止することができる。尚、凸部４３ｃは、レセプタクル側コネクタ４０の内周の一側面４４に突設されている。したがって、レセプタクル側コネクタ４０ｃとプラグ側コネクタ５０ｃとの嵌合の際に、上下、左右方向の姿勢を規定することができる。
【００４４】
このように、第２の実施の形態のレセプタクル側コネクタ４０によれば、３種類のプラグ側コネクタ５０ａ、５０ｂ、５０ｃの誤嵌を防止するための凹部５４ａ、５４ｂ、５４ｃに対応する折り取り可能な凸部４３ａ、４３ｂ、４３ｃを備えるので、１種類のレセプタクル側コネクタ４０で３種類のプラグ側コネクタ５０ａ、５０ｂ、５０ｃに対応することができ、コストを削減することができる。
【００４５】
以上、本発明の好ましい実施の形態について詳説したが、本発明は、上述した実施の形態に制限されることはなく、本発明の範囲を逸脱することなく、上述した実施の形態に種々の変形及び置換を加えることができる。
【００４６】
例えば、本実施の形態のコネクタ１０、４０では、相手側コネクタ２０、５０の種類が３種類であるとしたが、誤嵌を防止することができる限り、相手側コネクタ２０、５０の種類の数に制限はない。
【００４７】
また、本実施の形態のコネクタ１０、４０では、各相手側コネクタ２０、５０が誤嵌を防止するための凹部２４、５４を１つ備えるとしたが、誤嵌を防止することができる限り、各相手側コネクタ２０、５０の凹部２４、５４の設置数に制限はない。例えば、相手側コネクタ２０ａが凹部２４ａ、２４ｂを備え、相手側コネクタ２０ｂが凹部２４ｂ、２４ｃを備え、相手側コネクタ２０ｃが凹部２４ｃ、２４ａを備えるとしてよい。
【００４８】
また、本実施の形態のコネクタ１０、４０では、プラグ側コネクタ１０、５０に雌型端子１１、５１を設置し、レセプタクル側コネクタ２０、４０に雄端子２２、４２を設置したが、その逆の構成であってよい。つまり、プラグ側コネクタ１０、５０に雄型端子２２、４２を設置し、レセプタクル側コネクタ２０、４０に雌型端子１１、５１を設置してよい。
【００４９】
また、本実施の形態の凸部１３、４３は、コネクタ１０の外周の一側面１４、又はコネクタ４０の内周の一側面４４に突設されるとしたが、誤嵌を防止することができる限り、凸部の設置面の数に制限はない。例えば、凸部１３は、コネクタ１０の外周の２つの側面に突設されてよい。
【図面の簡単な説明】
【００５０】
【図１】本発明のコネクタ及び相手側コネクタの構成の第１の実施の形態を示した斜視図である。
【図２】図１のコネクタの凸部の一部を折り取るための折り取り治具の構成の一例を示した概略図である。
【図３】図２の折り取り治具によって図１のコネクタの凸部の一部を折り取った状態の一例を示した斜視図である。
【図４】本発明のコネクタ及び相手側コネクタの構成の第２の実施の形態を示した斜視図である。
【図５】図４のコネクタの凸部の一部を折り取るための折り取り治具の構成の一例を示した概略図である。
【図６】図５の折り取り治具によって図４のコネクタの凸部の一部を折り取った状態の一例を示した斜視図である。
【符号の説明】
【００５１】
１０、４０    コネクタ
１３、４３    凸部
１６、４６    折り取り溝
２０、５０    相手側コネクタ
２４、５４    凹部
【図１】
2009193920.tif 000003
【図２】
2009193920.tif 000004
【図３】
2009193920.tif 000005
【図４】
2009193920.tif 000006
【図５】
2009193920.tif 000007
【図６】
2009193920.tif 000008